(57)【要約】【課題】プリンタとスキャナそれぞれの使用時に給排出の経路が互いに干渉せず確実に確保されるような構成を提供する。【解決手段】プリンタ部２で使用するロールシート４を保護するためのロールカバー７を、プリント動作時には、ロールシート４に上方から接触しプリンタの供給口６へ誘導するための第１ポジションに配置する。一方、スキャナ動作時には、プリンタ部２の供給口６を覆いつつスキャナ用の搬送される原稿Ｍを下方から支持するための第２のポジションに配置する。【選択図】図５
2015151225.tif 000002
【特許請求の範囲】
【請求項１】
ロールシートに画像をプリントするプリンタ部と、
該プリンタ部の上位に配置され、原稿の画像を読み取るスキャナ部と、
前記ロールシートを保護するためのロールカバーと
を備え、
前記ロールカバーは、前記ロールカバーの上から手差し供給されたシートを前記プリンタ部への供給口に誘導するための第１ポジションと、前記供給口を覆い且つ前記スキャナ部での読み取りで搬送される原稿を下方から支持する第２ポジションとに切り替えることが可能であることを特徴とする画像形成装置。
【請求項２】
前記ロールシートにプリントを行うときは、前記ロールシートは前記第１ポジションに配置された前記ロールカバーの下面に接触しながら前記供給口に誘導されることを特徴とする、請求項１に記載の画像形成装置。
【請求項３】
ロールシートに画像をプリントするプリンタ部と、
該プリンタ部の上位に配置され、原稿の画像を読み取るスキャナ部と、
前記ロールシートを保護するためのロールカバーと
を備え、
前記ロールカバーは、前記ロールシートに対して上方から接触して前記ロールシートを前記プリンタ部への供給口に誘導するための第１ポジションと、前記供給口を覆い且つ前記スキャナ部での読み取りで搬送される原稿を下方から支持する第２ポジションとに切り替えることが可能であることを特徴とする画像形成装置。
【請求項４】
前記第２のポジションにおいて、前記ロールカバーは、前記スキャナ部から排出された後もしくは前記スキャナ部に供給される前の前記原稿を下方から支持することを特徴とする、請求項１から３のいずれか１項に記載の画像形成装置。
【請求項５】
前記ロールカバーは、前記ロールシートの周辺を囲う平面部と曲面部とを有し、前記ロールシートの回転軸と中心として回動することによって前記第１のポジションと前記第２のポジションとに切り替えられることを特徴とする、請求項１から４のいずれか１項に記載の画像形成装置。
【請求項６】
前記平面部には櫛歯形状が形成され、前記第２のポジションにおいて前記スキャナ部の搬送経路に形成された櫛歯形状と噛み合うことを特徴とする、請求項５に記載の画像形成装置。
【請求項７】
前記ロールカバーは、更に、前記ロールシートの装着を行うための開口が形成される第３のポジションに切り替えることが可能であることを特徴とする、請求項１から６のいずれか１項に記載の画像形成装置。
【発明の詳細な説明】
【技術分野】
【０００１】
本発明は、プリンタにスキャナを搭載した複合機に関する。特に、スキャナの原稿およびプリンタのシートそれぞれの搬送経路を、大型化を伴わずに互いに干渉することなく確保するための構成に関する。
【背景技術】
【０００２】
大判プリンタにスキャナを付けた複合機では、スキャナ部の原稿設置操作の利便性から、特許文献１のように、スタンド上のプリンタの更に上位にスキャナを配置する構成が一般的になっている。一方、特許文献２には、プリント前の連続シートをロール状に保持しておき、これを必要な分だけ引き出してプリントする構成と、カットシートを手差しで送入してプリントする構成とを併せ持つ大型プリンタが開示されている。
【先行技術文献】
【特許文献】
【０００３】
【特許文献１】特開２００３−１０７８２７号公報
【特許文献２】特開２００１−１３００９７号公報
【発明の概要】
【発明が解決しようとする課題】
【０００４】
ここで、特許文献２のような大型プリンタの上位に特許文献１のようにスキャナを搭載することを仮想する。すると、ある程度大きな径を持つロールシートやこれを保護するカバー部材が、スキャナ原稿の搬送経路まで張り出し、スキャナの操作性を損なうおそれがある。そして、これを回避する程度までスキャナとロールシートの設置位置とを離そうとすると、複合機自体が更に大型化してしまう懸念が生じる。
【０００５】
本発明は上記問題点を解決するためになされたものである。よって、その目的とするところは、プリンタとスキャナを複合した画像形成装置において、プリンタとスキャナそれぞれの使用時に給排出の経路が互いに干渉せず確実に確保されるような構成を提供することである。
【課題を解決するための手段】
【０００６】
そのために本発明は、ロールシートに画像をプリントするプリンタ部と、該プリンタ部の上位に配置され、原稿の画像を読み取るスキャナ部と、前記ロールシートを保護するためのロールカバーとを備え、前記ロールカバーは、前記ロールカバーの上から手差し供給されたシートを前記プリンタ部への供給口に誘導するための第１ポジションと、前記供給口を覆い且つ前記スキャナ部での読み取りで搬送される原稿を下方から支持する第２ポジションとに切り替えることが可能であることを特徴とする。
【発明の効果】
【０００７】
本発明によれば、プリンタの供給経路とスキャナの搬送経路の夫々を、互いに干渉させることなく好適に確保することが可能な画像形成装置を提供することが可能となる。
【図面の簡単な説明】
【０００８】
【図１】本実施形態で使用する画像形成装置（複合機）の外観斜視図である。
【図２】（ａ）およ（ｂ）は、スプールにロールシートを取り付ける方法を示す図である。
【図３】プリンタ部２内部構成を説明するための図である。
【図４】（ａ）および（ｂ）は、プリント動作時におけるロールカバーのポジションを示す図である。
【図５】原稿読み取り時におけるロールカバーのポジションを示す図である。
【図６】ロールシートを装着する際のロールカバーのポジションを示す図である。
【図７】（ａ）および（ｂ）は、変形例の画像プリント装置の上面図および側断面図である。
【発明を実施するための形態】
【０００９】
図１は、本実施形態の画像形成装置１（マルチファンクションプリント装置）の外観斜視図である。画像形成装置１は、主にプリンタ部２とスキャナ部３とから構成されている。操作部１２は、画像形成装置１の状態をユーザに表示したり、ユーザからの指示を受信したりする。プリンタ部２は、側カバー８、排出カバー９、開閉カバー１０といった外装カバーにより、後述する内部機構を囲いこれを保護している。開閉カバー１０は、不図示のヒンジを中心に開閉可能になっており、搬送中のシートが詰まったりプリントヘッドを交換したりする場合には、ユーザが開閉カバー１０を開放し、各種メンテナンス作業が行えるようになっている。
【００１０】
ロールカバー７は、ロールシートを装着する時に開放され、装着後は搭載されたロールシート４をその周辺から囲って汚れやほこりからこれを保護する。本実施形態において、ロールシート４は装置１に着脱可能なスプール１１を介して、装置１に装着される。
【００１１】
図２（ａ）およ（ｂ）は、スプール１１にロールシート４を取り付ける方法を説明する図である。図２（ａ）は取り付け前、同図（ｂ）は取り付け後を夫々示している。ロールシート４は、連続状の紙、プラスチックシート、布等のプリント媒体が中空のシート管２７に巻きつけられたものであり、取り付けの際はシート管２７の中にスプール軸２４が通される。スプール軸２４の片方の端部には固定フランジ２５が設けられており、ロールシート４の側端部が固定フランジ２５の端部２８に突き当たった状態で、もう片方の端部に可動フランジ２６を嵌め、ロック機構３０で固定する。取り付け作業後のロールシート４は図２（ｂ）のようになり、スプール１１ごとロールシート収納部５に搭載される。
【００１２】
なお、ロールシート４の幅は、スプール軸２４の許容範囲内であれば、限定されることはない。また、図では固定フランジ２５および可動フランジ２６がスプール軸２４に固定および着脱される構成としているが、本実施形態は必ずしもこの限りではない。例えばロールシート４のシート管２７の両端部に、直接２つのフランジを取り付ける構成であっても良い。
【００１３】
図３は、プリンタ部２の内部構成を説明するための図である。画像データに従ってインクを吐出するプリントヘッド１５は、ヘッドホルダ１４を介してキャリッジ１３に搭載されている。キャリッジ１３は、キャリッジモータ１６を駆動源とし、これに接続されたプーリ１８およびタイミングベルト１９を介することにより、メインレール４１に案内支持されながら、図のＸ方向に往復移動が可能になっている。キャリッジ１３がＸ方向に移動する最中にプリントヘッド１５がインクを吐出することにより、プラテン２０上を搬送されるシートＰに１バンド分のプリント走査が行われる。この際、シートＳはロールシートであってもカットシートであっても良い。このようなプリント動作の最中、シートＳは搬送ローラ２２とピンチローラ２１に挟持され、またプラテン２０によっても下方から支持されている。これにより、シートＳのプリントヘッド１５によるプリント領域は、平滑に保たれている。
【００１４】
１バンド分のプリント走査が完了すると、シートＳは、搬送モータ１７を駆動源とする搬送ローラ２２の回転によって、１バンド分の距離に相当する分だけＹ方向に搬送される。搬送ローラ２２の端部には、搬送ローラ２２と共に回転するエンコーダフィルム２３が取り付けられており、不図示のエンコーダセンサがエンコーダフィルム２３の回転量を検出することにより、シートＳの搬送距離は管理されている。このように、キャリッジ１３の移動による１バンド分のプリント走査とシートＳの搬送動作とを交互に繰り返すことにより、シートＳに段階的に画像が形成されて行く。
【００１５】
図４（ａ）および（ｂ）は、画像形成装置のプリント動作時におけるロールカバー７のポジションを説明するための断面図である。図４（ａ）はロールシート４から供給されたシートに対してプリント動作を行っている状態、同図（ｂ）ユーザによる手差しで供給されたカットシートＳに対してプリント動作を行っている状態を示している。
【００１６】
ロールカバー７は、平面部Ｐと曲面部Ｒを有し、ロールシート４の回転軸と同一の回転軸を中心に図の矢印方向に回動可能となっている。プリント動作を行う際、ロールカバー７は図に示す第１ポジションに配置される。この第１ポジションにおいて、ロールカバー７の平面部Ｐ側の先端は、供給口６の略中央に位置し、平面部Ｐは供給口６から搬送ローラ２２に向かう挿入経路にほぼ平行な姿勢を保っている。そして、ロールシート４へのプリントを行う場合は、図４（ａ）を参照するに、平面部Ｐの先端部分がロールシート４に対し上位から接触してシートの跳ね上がりを防止し、ロールシート４を供給口６へと確実に誘導する。
【００１７】
一方、手差し供給されたカットシートＳへのプリントを行う場合は、図４（ｂ）を参照するに、平面部Ｐは手差しされたカットシートＳを下方より支持し、これを供給口６へと確実に誘導する。平面部Ｐの先端付近の表面には搬送方向に平行な櫛歯形状が形成されており、シート搬送が効果的に行われるようになっている。また、第１ポジションにおいて、平面部Ｐは鉛直Ｚ方向に平行ではないので、平面部Ｐ上にプリント前の複数枚のカットシートを保持しておくことも出来る。このように、第１ポジションにおけるロールカバー７は、ロールシートへのプリントを行う場合にもカットシートへのプリントを行う場合にも、プリンタ部２における供給ガイドの役割を担っている。
【００１８】
図４（ａ）と図４（ｂ）では、ロールカバー７の位置は共に第１ポジションで同じである。ロールカバー７の平面部Ｐにおける部材厚みに対して供給口６の入口が広いため。カバーの上面（手差しシート）、下面（ロールシート）のどちら側からシートが導入されても、シート先端は供給口６に確実に差し込まれる。
【００１９】
図５は、原稿読み取り動作時におけるロールカバー７のポジションを説明するための側断面図である。原稿読み取り動作を行う際、ロールカバー７は、第１ポジションから時計回りに回動され図の第２ポジションに配置される。第２ポジションにおいて、ロールカバー７の平面部Ｐの先端は、スキャナ部３の排出口３５に極近い鉛直方向（Ｚ方向）下方に位置し、プリンタ部２の挿入口６はロールカバー７によって覆われた状態となっている。
【００２０】
ユーザがスキャナ部３の原稿台３１に原稿Ｍをセットし、操作部１２を介して原稿読み取り開始を指示すると、２組の搬送ローラ対３２および３４が回転し原稿Ｍを−Ｙ方向に一定の速度で搬送する。搬送の最中、読み取り部３３がその下方を通過する原稿Ｍの画像を読み取る。搬送が進行すると、原稿Ｍの先端はロールカバー７の表面に突き当たり、表面に形成された櫛歯形状に沿って上方に案内され、読み取り終了後はロールカバー７上に保持される。このように、本実施形態のロールカバー７は、第２ポジションにおいて、スキャナ部３の排出ガイドの役割を担っている。
【００２１】
図６は、ロールシート４を装着する際のロールカバー７のポジションを説明するための側断面図である。ロールシート４を装着する際、ロールカバー７は、第２ポジションから更に時計回りに回動され、図の第３ポジションに配置される。ロールカバー７を第３ポジションに配置することにより、ロールカバー７はプリンタ部２の挿入口６やスキャナ部３の排出口３５から離れ、作業用の開口部４０が形成される。ユーザは、この開口部４０を介してロールシート４をスプール１１ごと着脱することが出来る。
【００２２】
以上説明したように、本実施形態によれば、ロールカバー７のポジションを用途に応じて異なる位置に配置可能とすることにより、プリンタの供給経路とスキャナの排出経路の夫々を、互いに干渉させることなく好適に確保することが出来る。
【００２３】
以上の実施形態では、スキャナ部３において、画像形成装置１の前面から原稿を挿入し背面側に排出する構成である。これに限らず、画像形成装置１の背面から原稿を挿入し前面に排出する構成としてもよい。
【００２４】
図７（ａ）および（ｂ）は、画像形成装置が原稿読み取り動作を行っている状態、すなわちロールカバーが第２のポジションにある状態を示している。この実施形態では、上述の実施形態における排出口３５の位置が原稿挿入口３７となり、原稿読み取り動作時、ロールカバー７の平面部Ｐは供給トレイの役割を担うことになる。原稿挿入口３７下方の搬送経路にはＹ方向に複数の溝が平行に延在する櫛歯形状３６が形成されており、第２のポジションにおいて、平面部Ｐの先端付近に形成された櫛歯形状と噛み合うようになっている。このような構成により、平面部Ｐに保持された原稿は、その先端が櫛歯形状３６に案内支持されながら滑らかに原稿挿入口３７に給送される。
【００２５】
以上説明したように、本実施形態によれば、ロールカバー７のポジションを用途に応じて異なる位置に配置可能とすることにより、プリンタの供給経路とスキャナの供給経路の夫々を、互いに干渉させることなく好適に確保することが出来る。
【符号の説明】
【００２６】
１      画像形成装置
２      プリンタ部
３      スキャナ部
４      ロールシート
６      供給口
７      ロールカバー
【図１】
2015151225.tif 000003
【図２】
2015151225.tif 000004
【図３】
2015151225.tif 000005
【図４】
2015151225.tif 000006
【図５】
2015151225.tif 000007
【図６】
2015151225.tif 000008
【図７】
2015151225.tif 000009